【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
不連続受信(DRX)構成のアクティブ持続時間中にダウンリンク(DL)受信指示を受信するステップと、
前記DL受信指示に少なくとも部分的に基づいて、不活動間隔を識別するステップと、
前記DL受信指示に少なくとも部分的に基づいて、前記不活動間隔後の受信機会を識別するステップであって、前記識別された受信機会は、前記DRX構成のON持続時間とは異なる、ステップと、
前記受信機会中に後続DL受信指示がないかリッスンするステップと
を含む方法。
【請求項２】
前記DL受信指示に少なくとも部分的に基づいて、DRX動作を変更するステップ
をさらに含む、請求項1に記載の方法。
【請求項３】
前記後続DL受信指示がないかリッスンすることに少なくとも部分的に基づいて、後続受信機会および後続不活動間隔を識別するステップ
をさらに含む、請求項1に記載の方法。
【請求項４】
前記後続DL受信指示がないかリッスンすることに少なくとも部分的に基づいて、後続受信機会の不在を識別するステップと、
後続受信機会の前記不在に少なくとも部分的に基づいて、無線機をパワーダウンするステップと
をさらに含む、請求項1に記載の方法。
【請求項５】
前記後続DL受信指示がないかリッスンすることに少なくとも部分的に基づいて、DRXスリープ指示を識別するステップと、
前記DRXスリープ指示に少なくとも部分的に基づいて、無線機をパワーダウンするステップと
をさらに含む、請求項1に記載の方法。
【請求項６】
前記不活動間隔中にスリープモードに入るステップと、
前記後続DL受信指示がないかリッスンするために前記スリープモードから起動するステップと
をさらに含む、請求項1に記載の方法。
【請求項７】
ギャップサイズ要求を送信するステップをさらに含み、前記不活動間隔の持続時間は、前記ギャップサイズ要求に少なくとも部分的に基づく、請求項1に記載の方法。
【請求項８】
ワイヤレス通信の方法であって、
不連続受信(DRX)構成のアクティブ持続時間中にユーザ機器(UE)のための第1のダウンリンク(DL)受信指示を送信するステップであって、前記DL受信指示は、第1の不活動間隔および前記第1の不活動間隔後の第1の受信機会を示す、ステップであって、前記第1の受信機会は、前記DRX構成のON持続期間とは異なる、ステップと、
前記第1の受信機会中に前記UEのための第2のDL受信指示を送信するステップと
を含む方法。
【請求項９】
前記第1のDL受信指示に少なくとも部分的に基づいて、DRX動作を変更するステップ
をさらに含む、請求項8に記載の方法。
【請求項１０】
前記第2のDL受信指示を送信することは、第1の受信機電力に関連付けられ、前記方法は、
前記第2のDL受信指示によって示される第2の受信機会中にDL送信を送信するステップをさらに含み、前記DL送信を送信することは、前記第1の受信機電力よりも大きい第2の受信機電力に関連付けられる、請求項8に記載の方法。
【請求項１１】
前記第1の不活動間隔中または前記第2のDL受信指示によって示される第2の不活動間隔中に前記UEのために送信するのを控えるステップ
をさらに含む、請求項8に記載の方法。
【請求項１２】
ワイヤレス通信のための装置であって、
不連続受信(DRX)構成のアクティブ持続時間中にダウンリンク(DL)受信指示を受信するための手段と、
前記DL受信指示に少なくとも部分的に基づいて、不活動間隔を識別するための手段と、
前記DL受信指示に少なくとも部分的に基づいて、前記不活動間隔後の受信機会を識別するための手段であって、前記識別された受信機会は、前記DRX構成のON持続時間とは異なる、手段と、
前記受信機会中に後続DL受信指示がないかリッスンするための手段と
を含む装置。
【請求項１３】
ワイヤレス通信のための装置であって、
不連続受信(DRX)構成のアクティブ持続時間中にユーザ機器(UE)のための第1のダウンリンク(DL)受信指示を送信するための手段であって、前記DL受信指示は、第1の不活動間隔および前記第1の不活動間隔後の第1の受信機会を示す、手段であって、前記第1の受信機会は、前記DRX構成のON持続時間とは異なる、手段と、
前記第1の受信機会中に前記UEのための第2のDL受信指示を送信するための手段と
を含む装置。
【請求項１４】
コンピュータによって実行されると、請求項１乃至７、または請求項８乃至１１のいずれか一項に記載の方法を前記コンピュータに実行させる、ワイヤレス通信のためのコードを記憶するコンピュータ可読媒体。
【請求項１５】
不連続受信（DRX）構成のアクティブ持続時間中に、ユーザ機器（UE）でダウンリンク（DL）受信指示を受信するステップであって、前記DL受信指示を受信するステップは、第１の送信構成に少なくとも部分的に基づく、受信するステップと、
前記DL受信指示に少なくとも部分的に基づいて、不活動間隔後の受信機会を前記UEで識別するステップと、
前記不活動間隔後の前記受信機会の間、DL送信を前記UEで受信するステップであって、前記DL送信を受信するステップは、前記第1の送信構成とは異なる第2の送信構成に少なくとも部分的に基づく、受信するステップと、を含む、
ワイヤレス通信の方法。
【請求項１６】
前記DL受信指示を受信するステップは、第1の受信機帯域幅に少なくとも部分的に基づいて受信するステップを含み、
前記DL送信を受信するステップは、前記第1の受信機帯域幅よりも広いか、前記第1の受信機帯域幅よりも狭い第2の受信機帯域幅に少なくとも部分的に基づいて受信するステップを含む、
請求項１５に記載の方法。
【請求項１７】
前記DL受信指示を受信するステップは、第1の受信機電力に少なくとも部分的に基づいて受信するステップを含み、
前記DL送信を受信するステップは、前記第1の受信機電力よりも大きい第2の受信機電力に少なくとも部分的に基づいて受信するステップを含む、
請求項１５に記載の方法。
【請求項１８】
前記DL受信指示を受信するステップは、第1の送信時間間隔（TTI）に少なくとも部分的に基づいて受信するステップを含み、
前記第1のTTIとは異なる第2のTTIに少なくとも部分的に基づいて受信するステップを含む、
請求項１５に記載の方法。
【請求項１９】
前記DL受信指示を受信するステップは、第1の制御チャネル構成に少なくとも部分的に基づいて受信するステップを含み、
前記DL送信を受信するステップは、前記第1の制御チャネル構成とは異なる第2の制御チャネル構成に少なくとも部分的に基づいて受信するステップを含む、
請求項１５に記載の方法。
【請求項２０】
前記DL受信指示を受信するステップは、第1の変調およびコーディング方式（MCS）に少なくとも部分的に基づいて受信するステップを含み、
前記DL送信を受信するステップは、前記第1のMCSとは異なる第2のMCSに部分的に基づいて受信するステップを含む、
請求項１５に記載の方法。
【請求項２１】
前記DL受信指示を受信するステップは、第1のアグリゲーションレベルに少なくとも部分的に基づいて受信するステップを含み、
前記DL送信を受信するステップは、前記第1のアグリゲーションレベルとは異なる第2のアグリゲーションレベルに少なくとも部分的に基づいて受信するステップを含む、
請求項１５に記載の方法。
【請求項２２】
前記DL受信指示は、前記DL送信が前記受信機会中に送信するようにスケジュールされるという指示を含む、請求項１５に記載の方法。
【請求項２３】
前記識別された受信機会は、前記DRX構成のON持続時間とは異なる、請求項１５に記載の方法。
【請求項２４】
ユーザ機器（UE）での無線通信方法であって、
第1の受信機帯域幅に少なくとも部分的に基づいて第1の物理ダウンリンク制御チャネル（PDCCH）送信を受信するステップと、
前記第1のPDCCH送信に少なくとも部分的に基づいて、前記UEの無線を前記第1の受信機帯域幅から第2の受信機帯域幅に再チューニングするステップであって、前記第2の受信機帯域幅は前記第1の受信機帯域幅よりも広いかまたは前記第1の受信機帯域幅よりも狭い、再チューニングするステップと、
前記第2の受信機帯域幅に少なくとも部分的に基づいて第2のPDCCH送信を受信するステップと、
前記第2のPDCCH送信に少なくとも部分的に基づいて、ダウンリンク（DL）データ送信を受信するための機会を識別するステップと、
前記第2のPDCCH送信に少なくとも部分的に基づいて、前記DLデータ送信を受信するステップと、を含む
方法。
【請求項２５】
前記第1のPDCCH送信を受信するステップは、第1の変調およびコーディング方式（MCS）に少なくとも部分的に基づいて受信するステップを含み、
前記第2のPDCCH送信を受信するステップは、前記第1のMCSとは異なる第2のMCSに少なくとも部分的に基づいて受信するステップを含む、
請求項２４に記載の方法。
【請求項２６】
不連続受信（DRX）構成のアクティブ持続時間中に、ユーザ機器（UE）のために、第1の送信構成に少なくとも部分的に基づいてダウンリンク（DL）受信指示を送信するステップであって、前記DL受信指示は、不活動間隔後の受信機会の指示を含む、送信するステップと、
前記第1の送信構成とは異なる第2の送信構成に少なくとも部分的に基づいて、前記不活動間隔後の前記受信機会の間、前記UEのためのDL送信を送信するステップと、を含む、
方法。
【請求項２７】
前記DL受信指示を送信するステップは、第1の受信機帯域幅に少なくとも部分的に基づいて送信するステップを含み、
前記DL送信を送信するステップは、前記第1の受信機帯域幅とは異なる第2の受信機帯域幅に少なくとも部分的に基づいて送信するステップを含む、
請求項２６に記載の方法。
【請求項２８】
前記DL受信指示を送信するステップは、第1の受信機電力に少なくとも部分的に基づいて送信するステップを含み、
前記DL送信を送信するステップは、前記第1の受信機電力よりも大きい第2の受信機電力に少なくとも部分的に基づいて送信するステップを含む、
請求項２６に記載の方法。
【請求項２９】
前記DL受信指示を送信するステップは、第1の送信時間間隔（TTI）に少なくとも部分的に基づいて送信するステップを含み、
前記第1のTTIとは異なる第2のTTIに少なくとも部分的に基づいて送信するステップを含む、
請求項２６に記載の方法。
【請求項３０】
前記DL受信指示を送信するステップは、第1の制御チャネル構成に少なくとも部分的に基づいて送信するステップを含み、
前記DL送信を送信するステップは、前記第1の制御チャネル構成とは異なる第2の制御チャネル構成に少なくとも部分的に基づいて送信するステップを含む、
請求項２６に記載の方法。
【請求項３１】
前記DL受信指示を送信するステップは、第１の変調およびコーディング方式（MCS）に少なくとも部分的に基づいて送信するステップを含み、
前記DL送信を送信するステップは、前記第１のMCSとは異なる第２のMCSに部分的に基づいて送信するステップを含む、
請求項２６に記載の方法。
【請求項３２】
前記DL受信指示を送信するステップは、第1のアグリゲーションレベルに少なくとも部分的に基づいて送信するステップを含み、
前記DL送信を送信するステップは、前記第1のアグリゲーションレベルとは異なる第2のアグリゲーションレベルに少なくとも部分的に基づいて送信するステップを含む、
請求項２６に記載の方法。
【請求項３３】
前記DRX構成のON持続時間とは異なるように前記受信機会を決定するステップをさらに含む、
請求項２６に記載の方法。
【請求項３４】
前記DRX構成のサイクルよりも長いかまたは短くなるように前記不活動間隔を決定するステップをさらに含む、
請求項２６に記載の方法。
【請求項３５】
第１の受信機帯域幅に少なくとも部分的に基づいて第１の物理ダウンリンク制御チャネル（PDCCH）送信をユーザ機器（UE）に送信するステップであって、前記第１のPDCCH送信は、前記UEの無線を前記第１の受信機帯域幅から、前記第１の受信機帯域幅よりも広いかまたは前記第１の受信機帯域幅よりも狭い第２の受信機帯域幅に再チューニングすることに関連する、送信するステップと、
前記第１のPDCCH送信を送信するステップに少なくとも部分的に基づいて前記UEに、前記第１の受信機帯域幅よりも広いかまたは前記第１の受信機帯域幅よりも狭い前記第２の受信機帯域幅に少なくとも部分的に基づいて、第２のPDCCH送信を送信するステップであって、前記第２のPDCCH送信はダウンリンク（DL）データ送信を受信するための機会を示す、送信するステップと、
前記第２のPDCCH送信を送信するステップに少なくとも部分的に基づいて前記DLデータ送信を前記UEに送信するステップと、を含む、
無線通信の方法。
【請求項３６】
前記第1のPDCCH送信を送信するステップは、第1の変調およびコーディング方式（MCS）に少なくとも部分的に基づいて送信するステップを含み、
前記第2のPDCCH送信を送信するステップは、前記第1のMCSとは異なる第2のMCSに少なくとも部分的に基づいて送信するステップを含む、
請求項３５に記載の方法。
【請求項３７】
ユーザ機器（UE）での無線通信方法であって
第1の受信機帯域幅に少なくとも部分的に基づいて第1の物理ダウンリンク制御チャネル（PDCCH）送信を受信するステップと、
前記第1のPDCCH送信に少なくとも部分的に基づいて、前記UEの無線を前記第1の受信機帯域幅から第2の受信機帯域幅に再チューニングするステップであって、前記第2の受信機帯域幅は、前記第１の受信帯域幅とは異なる、再チューニングするステップと、
前記第2の受信機帯域幅に少なくとも部分的に基づいて第2のPDCCH送信を受信するステップと、
前記第2のPDCCH送信に少なくとも部分的に基づいて、ダウンリンク（DL）データ送信を受信するための機会を識別するステップと、
前記第2のPDCCH送信に少なくとも部分的に基づいて、前記DLデータ送信を受信するステップと、を含む
方法。
【請求項３８】
前記第1のPDCCH送信を受信するステップは、第1の変調およびコーディング方式（MCS）に少なくとも部分的に基づいて受信するステップを含み、
前記第2のPDCCH送信を受信するステップは、前記第1のMCSとは異なる第2のMCSに少なくとも部分的に基づいて受信するステップを含む、
請求項３７に記載の方法。
【請求項３９】
第１の受信機帯域幅に少なくとも部分的に基づいて第１の物理ダウンリンク制御チャネル（PDCCH）送信をユーザ機器（UE）に送信するステップであって、前記第１のPDCCH送信は、前記UEの無線を前記第１の受信機帯域幅から、前記第１の受信機帯域幅とは異なる第２の受信機帯域幅に再チューニングすることに関連する、送信するステップと、
前記第１のPDCCH送信を送信するステップに少なくとも部分的に基づいて前記UEに、前記第１の受信機帯域幅とは異なる前記第２の受信機帯域幅に少なくとも部分的に基づいて、第２のPDCCH送信を送信するステップであって、前記第２のPDCCH送信はダウンリンク（DL）データ送信を受信するための機会を示す、送信するステップと、
前記第２のPDCCH送信に少なくとも部分的に基づいて前記DLデータ送信を前記UEに送信するステップと、を含む、
無線通信の方法。
【請求項４０】
前記第1のPDCCH送信を送信するステップは、第1の変調およびコーディング方式（MCS）に少なくとも部分的に基づいて送信するステップを含み、
前記第2のPDCCH送信を送信するステップは、前記第1のMCSとは異なる第2のMCSに少なくとも部分的に基づいて送信するステップを含む、
請求項３９に記載の方法。
【請求項４１】
ワイヤレス通信のための装置であって、
プロセッサと、
前記プロセッサに接続されたメモリと、を含み、
前記プロセッサおよびメモリは、
不連続受信(DRX)構成のアクティブ持続時間中にダウンリンク(DL)受信指示をUEで受信することであって、前記DL受信指示を受信することは、第１の送信構成に少なくとも部分的に基づく、受信することと、
前記DL受信指示に少なくとも部分的に基づいて、不活動間隔後の受信機会を前記UEで識別することと、
前記不活動間隔後の前記受信機会の間、DL送信を前記UEで受信することであって、前記DL送信を受信することは、前記第1の送信構成とは異なる第2の送信構成に少なくとも部分的に基づく、受信することと、
を行うように構成される、ワイヤレス通信のための装置。
【請求項４２】
ユーザ機器（UE）でのワイヤレス通信のための装置であって、
プロセッサと、
前記プロセッサに接続されたメモリと、を含み、
前記プロセッサおよびメモリは、
第1の受信機帯域幅に少なくとも部分的に基づいて第1の物理ダウンリンク制御チャネル（PDCCH）送信を受信することと、
前記第1のPDCCH送信に少なくとも部分的に基づいて、前記UEの無線を前記第1の受信機帯域幅から第2の受信機帯域幅に再チューニングすることであって、前記第2の受信機帯域幅は前記第1の受信機帯域幅よりも広いかまたは前記第1の受信機帯域幅よりも狭い、再チューニングすることと、
前記第2の受信機帯域幅に少なくとも部分的に基づいて第2のPDCCH送信を受信することと、
前記第2のPDCCH送信に少なくとも部分的に基づいて、ダウンリンク（DL）データ送信を受信するための機会を識別することと、
前記第2のPDCCH送信に少なくとも部分的に基づいて、前記DLデータ送信を受信することと、
を行うように構成される、装置。
【請求項４３】
前記第1のPDCCH送信を受信するために、前記プロセッサおよび前記メモリは、第1の変調およびコーディング方式（MCS）に少なくとも部分的に基づいて受信するように構成され、
前記第２のPDCCH送信を受信するために、前記プロセッサおよび前記メモリは、前記第1のMCSとは異なる第2のMCSに少なくとも部分的に基づいて受信するように構成される、
請求項４２に記載の装置。
【請求項４４】
ワイヤレス通信のためのコードを記憶する非一時的コンピュータ可読記録媒体であって、前記コードは、
第1の受信機帯域幅に少なくとも部分的に基づいて第1の物理ダウンリンク制御チャネル（PDCCH）送信を受信することと、
前記第1のPDCCH送信に少なくとも部分的に基づいて、UEの無線を前記第1の受信機帯域幅から第2の受信機帯域幅に再チューニングすることであって、前記第2の受信機帯域幅は前記第1の受信機帯域幅よりも広いかまたは前記第1の受信機帯域幅よりも狭い、再チューニングすることと、
前記第2の受信機帯域幅に少なくとも部分的に基づいて第2のPDCCH送信を受信することと、
前記第2のPDCCH送信に少なくとも部分的に基づいて、ダウンリンク（DL）データ送信を受信するための機会を識別することと、
前記第2のPDCCH送信に少なくとも部分的に基づいて、前記DLデータ送信を受信することと、
を行うように実行可能な命令を含む、非一時的コンピュータ可読記録媒体。
【請求項４５】
ワイヤレス通信のための装置であって、
プロセッサと、
前記プロセッサに接続されたメモリと、を含み、
前記プロセッサおよびメモリは、
不連続受信（DRX）構成のアクティブ持続時間中に、ユーザ機器（UE）のために、第1の送信構成に少なくとも部分的に基づいてダウンリンク（DL）受信指示を送信することであって、前記DL受信指示は、不活動間隔後の受信機会の指示を含む、送信することと、
前記第1の送信構成とは異なる第2の送信構成に少なくとも部分的に基づいて、前記不活動間隔後の前記受信機会の間、前記UEのためのDL送信を送信することと、
を行うように構成される、装置。
【請求項４６】
ワイヤレス通信のための装置であって、
プロセッサと、
前記プロセッサに接続されたメモリと、を含み、
前記プロセッサおよびメモリは、
第１の受信機帯域幅に少なくとも部分的に基づいて第１の物理ダウンリンク制御チャネル（PDCCH）送信をユーザ機器（UE）に送信することであって、前記第１のPDCCH送信は、前記UEの無線を前記第１の受信機帯域幅から、前記第１の受信機帯域幅よりも広いかまたは前記第１の受信機帯域幅よりも狭い第２の受信機帯域幅に再チューニングすることに関連する、送信することと、
前記第１のPDCCH送信を送信することに少なくとも部分的に基づいて前記UEに、前記第１の受信機帯域幅よりも広いかまたは前記第１の受信機帯域幅よりも狭い前記第２の受信機帯域幅に少なくとも部分的に基づいて、第２のPDCCH送信を送信することであって、前記第２のPDCCH送信はダウンリンク（DL）データ送信を受信するための機会を示す、送信することと、
前記第２のPDCCH送信を送信することに少なくとも部分的に基づいて前記DLデータ送信を前記UEに送信することと、
を行うように構成される、装置。
【請求項４７】
前記第1のPDCCH送信を送信するために、前記プロセッサおよび前記メモリは、第1の変調およびコーディング方式（MCS）に少なくとも部分的に基づいて送信するように構成され、
前記第２のPDCCH送信を送信するために、前記プロセッサおよび前記メモリは、前記第１のMCSとは異なる第２のMCSに少なくとも部分的に基づいて送信するように構成される、
請求項４６に記載の装置。
【請求項４８】
ワイヤレス通信のためのコードを記憶する非一時的コンピュータ可読記録媒体であって、前記コードは、
第１の受信機帯域幅に少なくとも部分的に基づいて第１の物理ダウンリンク制御チャネル（PDCCH）送信をユーザ機器（UE）に送信することであって、前記第１のPDCCH送信は、前記UEの無線を前記第１の受信機帯域幅から、前記第１の受信機帯域幅よりも広いかまたは前記第１の受信機帯域幅よりも狭い第２の受信機帯域幅に再チューニングすることに関連する、送信することと、
前記第１のPDCCH送信を送信することに少なくとも部分的に基づいて前記UEに、前記第１の受信機帯域幅よりも広いかまたは前記第１の受信機帯域幅よりも狭い前記第２の受信機帯域幅に少なくとも部分的に基づいて、第２のPDCCH送信を送信することであって、前記第２のPDCCH送信はダウンリンク（DL）データ送信を受信するための機会を示す、送信することと、
前記第２のPDCCH送信を送信することに少なくとも部分的に基づいて前記DLデータ送信を前記UEに送信することと、
を行うように実行可能な命令を含む、
非一時的コンピュータ可読記録媒体。
【請求項４９】
ユーザ機器（UE）でのワイヤレス通信のための装置であって
プロセッサと、
前記プロセッサに接続されたメモリと、を含み、
前記プロセッサおよびメモリは、
第1の受信機帯域幅に少なくとも部分的に基づいて第1の物理ダウンリンク制御チャネル（PDCCH）送信を受信することと、
前記第1のPDCCH送信に少なくとも部分的に基づいて、前記UEの無線を前記第1の受信機帯域幅から第2の受信機帯域幅に再チューニングすることであって、前記第2の受信機帯域幅は前記第1の受信機帯域幅とは異なる、再チューニングすることと、
前記第2の受信機帯域幅に少なくとも部分的に基づいて第2のPDCCH送信を受信することと、
前記第2のPDCCH送信に少なくとも部分的に基づいて、ダウンリンク（DL）データ送信を受信するための機会を識別することと
前記第2のPDCCH送信に少なくとも部分的に基づいて、前記DLデータ送信を受信することと、
を行うように構成される、装置。
【請求項５０】
前記第1のPDCCH送信を受信するために、前記プロセッサおよび前記メモリは、第1の変調およびコーディング方式（MCS）に少なくとも部分的に基づいて受信するように構成され、
前記第２のPDCCH送信を受信するために、前記プロセッサおよび前記メモリは、前記第1のMCSとは異なる第2のMCSに少なくとも部分的に基づいて受信するように構成される、
請求項４９に記載の装置。
【請求項５１】
ワイヤレス通信のためのコードを記憶する非一時的コンピュータ可読記録媒体であって、前記コードは、
第1の受信機帯域幅に少なくとも部分的に基づいて第1の物理ダウンリンク制御チャネル（PDCCH）送信を受信することと、
前記第1のPDCCH送信に少なくとも部分的に基づいて、UEの無線を前記第1の受信機帯域幅から第2の受信機帯域幅に再チューニングすることであって、前記第2の受信機帯域幅は前記第1の受信機帯域幅とは異なる、再チューニングすることと、
前記第2の受信機帯域幅に少なくとも部分的に基づいて第2のPDCCH送信を受信することと、
前記第2のPDCCH送信に少なくとも部分的に基づいて、ダウンリンク（DL）データ送信を受信するための機会を識別することと、
前記第2のPDCCH送信に少なくとも部分的に基づいて、前記DLデータ送信を受信することと、
を行うように実行可能な命令を含む、非一時的コンピュータ可読記録媒体。
【請求項５２】
ワイヤレス通信のための装置であって、
プロセッサと、
前記プロセッサに接続されたメモリと、を含み、
前記プロセッサおよびメモリは、
第１の受信機帯域幅に少なくとも部分的に基づいて第１の物理ダウンリンク制御チャネル（PDCCH）送信をユーザ機器（UE）に送信することであって、前記第１のPDCCH送信は、前記UEの無線を前記第１の受信機帯域幅から、前記第１の受信機帯域幅とは異なる第２の受信機帯域幅に再チューニングすることに関連する、送信することと、
前記第１のPDCCH送信を送信することに少なくとも部分的に基づいて前記UEに、前記第１の受信機帯域幅とは異なる前記第２の受信機帯域幅に少なくとも部分的に基づいて、第２のPDCCH送信を送信することであって、前記第２のPDCCH送信はダウンリンク（DL）データ送信を受信するための機会を示す、送信することと、
前記第２のPDCCH送信を送信することに少なくとも部分的に基づいて前記DLデータ送信を前記UEに送信することと、
を行うように構成される、装置。
【請求項５３】
前記第1のPDCCH送信を送信するために、前記プロセッサおよび前記メモリは、第1の変調およびコーディング方式（MCS）に少なくとも部分的に基づいて送信するように構成され、
前記第２のPDCCH送信を送信するために、前記プロセッサおよび前記メモリは、前記第１のMCSとは異なる第２のMCSに少なくとも部分的に基づいて送信するように構成される、
請求項５２に記載の装置。
【請求項５４】
ワイヤレス通信のためのコードを記憶する非一時的コンピュータ可読記録媒体であって、前記コードは、
第１の受信機帯域幅に少なくとも部分的に基づいて第１の物理ダウンリンク制御チャネル（PDCCH）送信をユーザ機器（UE）に送信することであって、前記第１のPDCCH送信は、前記UEの無線を前記第１の受信機帯域幅から、前記第１の受信機帯域幅とは異なる第２の受信機帯域幅に再チューニングすることに関連する、送信することと、
前記第１のPDCCH送信を送信することに少なくとも部分的に基づいて前記UEに、前記第１の受信機帯域幅とは異なる前記第２の受信機帯域幅に少なくとも部分的に基づいて、第２のPDCCH送信を送信することであって、前記第２のPDCCH送信はダウンリンク（DL）データ送信を受信するための機会を示す、送信することと、
前記第２のPDCCH送信を送信することに少なくとも部分的に基づいて前記DLデータ送信を前記UEに送信することと、
を行うように実行可能な命令を含む、
非一時的コンピュータ可読記録媒体。